(57)【要約】      （修正有）【課題】ソレノイドの内部への水の浸入を効果的に防止できるようにする。【解決手段】所定方向に延び、一方側が開放された筒状の本体ケース１０と、所定方向に移動可能なシャフトと、その内周側にシャフトを挿入可能なコイルと、ベースと、シャフトと接続されるプランジャと、本体ケース１０の所定方向の一方側の周縁部１０ａと接触する接触面２１ｂを有し、本体ケース１０の一方側を封止するキャップ２１と、キャップ２１と本体ケース１０とを締結するボルト３１と、を有するソレノイドであって、ボルト３１によりキャップ２１を本体ケース１０に締結する前の状態では、キャップ２１の接触面２１ｂの少なくとも一部に、キャップ２１の内側に近づく程、本体ケース１０の周縁部１０ａから所定方向に離れる傾斜を有するように構成する。【選択図】図２
2017069304.tif 000002
【特許請求の範囲】
【請求項１】
所定方向に延び、前記所定方向の少なくとも一方側が開放された筒状の本体ケースと、前記本体ケースの内周側に配置され、前記所定方向に移動可能なシャフトと、前記本体ケースの内周側に配置され、その内周側に前記シャフトを挿入可能なコイルと、前記本体ケースの前記コイルの内周側に配置されるベースと、前記本体ケースの前記コイルの内周側に配置され、前記シャフトと接続されるプランジャと、前記本体ケースの前記所定方向の一方側の周縁部と接触する接触面を有し、前記本体ケースの前記一方側を封止するキャップと、前記キャップと前記本体ケースとを締結する締結部材と、を有するソレノイドであって、
前記締結部材により前記キャップを前記本体ケースに締結する前の状態では、前記キャップの前記接触面の少なくとも一部に、前記キャップの内側に近づく程、前記本体ケースの前記周縁部から前記所定方向に離れる傾斜を有する
ソレノイド。  
【請求項２】
前記接触面の全体が、前記キャップの内側に近づく程、前記本体ケースの前記周縁部から前記所定方向に離れる傾斜である
請求項１に記載のソレノイド。
【請求項３】
前記プランジャは、前記本体ケースの前記所定方向の前記一端側よりも突出した位置に移動可能となっており、
前記キャップは、前記プランジャが前記本体ケースから前記所定方向の前記一端側に突出した場合であっても接触せずに封止できる、前記一端側が閉鎖された略円筒状の凹部を有する
請求項１又は請求項２に記載のソレノイド。
【請求項４】
前記キャップの一端側に配置され、前記キャップとともに前記締結部材により前記本体ケースに締結されるリテーナをさらに有し、
前記リテーナは、前記締結部材により前記リテーナを前記本体ケースに締結する前の状態では、平板状である
請求項１から請求項３の何れか一項に記載のソレノイド。
【請求項５】
前記周縁部と前記接触面との少なくともいずれか一方には、シール剤が塗布されている
請求項１から請求項４の何れか一項に記載のソレノイド。
【請求項６】
前記キャップは、前記接触面よりも外周側に、前記本体ケースの前記一端側の外周面と接触する外周接触部を有する
請求項１から請求項５の何れか一項に記載のソレノイド。
【発明の詳細な説明】
【技術分野】
【０００１】
本発明は、例えば、変速機等において、動力源として使用されるソレノイドに関する。
【背景技術】
【０００２】
従来、変速機として、マニュアル変速機の変速段を、アクチュエータを用いて自動的に切り替える機械式自動マニュアル変速機（Automated Manual Transmission）が知られている。
【０００３】
変速段を切り替えるアクチュエータとしては、例えば、ソレノイドを用いることができるが、ソレノイドを用いる場合には、ソレノイドの内部の防水性を確保する必要がある。
【０００４】
ソレノイドの防水性を確保する方法としては、例えば、ソレノイドの各構成が装着された本体ケースの一端側をキャップで覆うようにし、本体ケースの一端側の面と、キャップ側の面との間に、防水用のパッキンを配して、本体ケース及びキャップとを締結する方法がある。
【０００５】
例えば、自動変速機等に装着される部材における防水性を確保する技術としては、特許文献１に記載の技術が知られている。
【先行技術文献】
【特許文献】
【０００６】
【特許文献１】特開２０１０−２４２８７２号公報
【発明の概要】
【発明が解決しようとする課題】
【０００７】
例えば、ソレノイドの本体ケースと、キャップとの接合部分にパッキンを配するようにした場合には、キャップ側の面にパッキンでは吸収できない程度の凹凸が存在する場合もあり、その凹凸の部分から本体ケースの内部に水が浸入してしまう虞がある。
【０００８】
本発明は、上記課題に鑑みなされたものであり、その目的は、ソレノイドの内部への水の浸入を効果的に防止することのできる技術を提供することにある。
【課題を解決するための手段】
【０００９】
上述の目的を達成するため、本発明の一観点に係るソレノイドは、所定方向に延び、所定方向の少なくとも一方側が開放された筒状の本体ケースと、本体ケースの内周側に配置され、所定方向に移動可能なシャフトと、本体ケースの内周側に配置され、その内周側にシャフトを挿入可能なコイルと、本体ケースのコイルの内周側に配置されるベースと、本体ケースのコイルの内周側に配置され、シャフトと接続されるプランジャと、本体ケースの所定方向の一方側の周縁部と接触する接触面を有し、本体ケースの一方側を封止するキャップと、キャップと本体ケースとを締結する締結部材と、を有するソレノイドであって、締結部材によりキャップを本体ケースに締結する前の状態では、キャップの接触面の少なくとも一部に、キャップの内側に近づく程、本体ケースの周縁部から所定方向に離れる傾斜を有する。
【００１０】
上記ソレノイドにおいて、接触面の全体が、キャップの内側に近づく程、本体ケースの周縁部から所定方向に離れる傾斜であってもよい。
【００１１】
また、上記ソレノイドにおいて、プランジャは、本体ケースの所定方向の一端側よりも突出した位置に移動可能となっており、キャップは、プランジャが本体ケースから所定方向の一端側に突出した場合であっても接触せずに封止できる、一端側が閉鎖された略円筒状の凹部を有してもよい。
【００１２】
また、上記ソレノイドにおいて、キャップの一端側に配置され、キャップとともに締結部材により本体ケースに締結されるリテーナをさらに有し、リテーナは、締結部材によりリテーナを本体ケースに締結する前の状態では、平板状であってもよい。
【００１３】
また、上記ソレノイドにおいて、周縁部と接触面との少なくとも何れか一方には、シール剤が塗布されていてもよい。
【００１４】
また、上記ソレノイドにおいて、キャップは、接触面よりも外周側に、本体ケースの一端側の外周面と接触する外周接触部を有してもよい。
【発明の効果】
【００１５】
本発明によると、ソレノイドの内部への水の浸入を効果的に防止することができる。
【図面の簡単な説明】
【００１６】
【図１】図１（ａ）は、本発明の一実施形態に係るソレノイドの断面図である。図１（ｂ）は、本発明の一実施形態に係るソレノイドの下面図である。
【図２】図２（ａ）は、本発明の一実施形態に係るソレノイドのキャップ締結前の状態を示す模式図である。図２（ｂ）は、本発明の一実施形態に係るソレノイドのキャップ締結後の状態を示す模式図である。
【図３】本発明の変形例に係るソレノイドの断面図である。
【図４】図４（ａ）は、本発明の変形例に係るソレノイドのキャップ締結前の状態を示す模式図である。図４（ｂ）は、本発明の変形例に係るソレノイドのキャップ締結後の状態を示す模式図である。
【発明を実施するための形態】
【００１７】
以下、添付図面に基づいて、本発明の一実施形態に係るソレノイドについて説明する。同一の部品には同一の符号を付してあり、それらの名称および機能も同じである。したがって、それらについての詳細な説明は繰返さない。
【００１８】
図１（ａ）は、本発明の一実施形態に係るソレノイドの断面図である。図１（ｂ）は、本発明の一実施形態に係るソレノイドの下面図である。なお、図１（ａ）は、図１（ｂ）のＡ−Ａ線での断面図である。また、図１（ａ）においては、ソレノイド１を、シャフト１１を上下方向に移動させるようにした配置例を示しているが、ソレノイド１の配置はこれに限られず、例えば、シャフト１１を水平方向に移動させるように配置してもよい。
【００１９】
ソレノイド１は、シャフト１１を所定方向（図１（ａ）では、上下方向）に移動させる装置であり、本体ケース１０と、シャフト１１と、ベース(固定鉄心）１２と、プランジャ（可動鉄心）１３と、コイル１４と、キャップ２１と、リテーナ３０と、ボルト(締結部材の一例)３１と、電線３２と、シール剤３３とを有する。
【００２０】
本体ケース１０は、上下方向が開放された、筒状(本実施形態では、略円筒状)となっている。本体ケース１０の一方側（下側）の端面の周縁には、キャップ２１の面が合わせられる面(合わせ面)を有する取付部（周縁部）１０ａが形成されている。合わせ面は、シャフト１１の移動方向に対して垂直な面となっている。本体ケース１０には、ボルト３１のネジ溝と螺合するネジ溝が内周に形成されたボルト締結穴１０ｂと、電線３２を本体ケース１０の内部に引き入れるための電線挿入孔１０ｃとが形成されている。
【００２１】
本体ケース１０の内周側には、電線３２に接続されているコイル１４が配置されている。本体ケース１０の上側には、一部がコイル１４の内周に位置するように配置されたベース１２が固定されている。一方、本体ケース１０の下側には、一部がコイル１４の内周に位置するように、シャフト１１が固定されたプランジャ１３が配置されている。プランジャ１３は、本体ケース１０の下端よりも下側まで移動可能となっており、プランジャ１３の一部が本体ケース１０の下端から下側に突出する場合がある。
【００２２】
本体ケース１０の下側には、本体ケース１０の下側を封止するためのキャップ２１が締結されている。
【００２３】
キャップ２１は、例えば、金属（例えば、アルミニウム）で形成されており、プランジャ１３が下方に移動し、本体ケース１０の下端よりも下側に突出した場合であっても接触しないように形成された略円筒形状の可動領域保護部（凹部）２１ａと、可動領域保護部２１ａの周囲に外周方向に延びて形成され、本体ケース１０の取付部１０ａに接触する接触面２１ｂと、接触面２１ｂの径方向の略中心の位置に形成され、ボルト３１を挿入するためのボルト挿入孔２１ｃとを有する。
【００２４】
シール剤３３は、キャップ２１の接触面２１ｂと、本体ケース１０の周縁部１０ａとの間に存在する隙間を埋めるように作用する。本実施形態では、シール剤３３は、キャップ２１と本体ケース１０とを締結する前に、キャップ２１の接触面２１ｂと、本体ケース１０の周縁部１０ａとの少なくとも何れか一方に塗布される。
【００２５】
リテーナ３０は、略平板円環状の部材であり、キャップ３０の接触面２１ｂの下方側に配置される。リテーナ３０には、ボルト３１を挿入するためのボルト挿入孔３０ａと、電線３２を挿入するための電線挿入孔３０ｂが形成されている。
【００２６】
図２（ａ）は、本発明の一実施形態に係るソレノイドのキャップ締結前の状態を示す模式図である。図２（ｂ）は、本発明の一実施形態に係るソレノイドのキャップ締結後の状態を示す模式図である。
【００２７】
本体ケース１０とキャップ２１とをボルト３１により締結する前（締結前）においては、図２（ａ）に示すように、キャップ２１の接触面２１ｂは、下側が狭くなっている円錐台の側面の形状となっている。すなわち、キャップ２１の接触面２１ｂは、全面に亘って、外周側の部位よりも内側(中心側)の部位の方が、本体ケース１０の取付部１０ａとの上下方向の距離が遠くなっている斜面に形成されている。なお、リテーナ３０は、締結前においても、略平板円環状である。
【００２８】
このような、本体ケース１０とキャップ２１とをボルト３１により締結すると、図２（ｂ）に示すように、キャップ２１の接触面２１ｂは、取付部１０ａの面と接触するように弾性変形する。したがって、キャップ２１の接触面２１ｂは、取付部１０ａの面と平行な面となる。
【００２９】
この状態では、キャップ２１の接触面２１ｂにおいては、接触面２１ｂが元の状態に戻ろうとする復元力Ｆが存在している。ボルト３１により接触面２１ｂの態勢が規制されているので、結果として、接触面２１ｂと取付部１０ａとの間の圧力(面圧) は、ボルト３１による締結による圧力だけでなく、接触面２１ｂの復元力Ｆによる圧力が加えられたものとなる。接触面２１ｂによる復元力Ｆは、外周側の部位になればなるほど大きくなっている。これにより、接触面２１ｂの外周側の部位において、取付部１０ａとの間の面圧を比較的大きくすることができ、キャップ２１の接触面２１ｂと本体ケース１０の取付部１０ａとの間への外周側からの水の浸入を効果的に防止することができる。
【００３０】
また、本実施形態では、ボルト３１の頭部と接触するリテーナ３０を略平板円環状としているので、ボルト３１を締結する際に、ボルト３１の頭部がリテーナ３０と比較的広い範囲で接触するので、ボルト３１による締結力をリテーナ３０の比較的広い範囲に分散することができる。また、リテーナ３０を介して接触面２１ｂに締結力が伝えられることとなるので、ボルト３１による締結力を接触面２１ａに分散することができ、接触面２１ａの破損や一部分の過度な変形を防止することができる。
【００３１】
以上説明したように、本実施形態に係るソレノイド１によると、ボルト３１によりキャップ２１を本体ケース１０に締結する前の状態では、キャップ２１の接触面２１ｂに、キャップ２１の内側に近づく程、本体ケース１０の取付部１０ａの合わせ面から上下方向に離れる傾斜を有するようにしたので、ボルト３１により、キャップ２１と本体ケース１０とを締結すると、キャップ２１の接触面２１ｂが取付部１０ａの面と接触するように変形された状態となるので、復元力により、接触面２１ｂの外周側ほど強い面圧力が加えられた状態となる。これにより、キャップ２１と本体ケース１０との間に水が浸入してしまうことを適切に防止することができる。
【００３２】
次に、本発明の変形例に係るソレノイドについて説明する。
【００３３】
図３は、本発明の変形例に係るソレノイドの断面図である。
【００３４】
変形例に係るソレノイド１Ａは、図１に示す実施形態に係るソレノイド１において、本体ケース１０の下端側の外周面に凹状の外周凹部１０ｄを有するようにするとともに、キャップ２１の接触面２１ｂの外周側に、外周凹部１０ｄの外周面と接触する外周接触面２１ｄを有するようにしたものである。
【００３５】
図４（ａ）は、本発明の変形例に係るソレノイドのキャップ締結前の状態を示す模式図である。図４（ｂ）は、本発明の変形例に係るソレノイドのキャップ締結後の状態を示す模式図である。
【００３６】
締結前においては、図４（ａ）に示すように、キャップ２１の接触面２１ｂの先端側には、接触面２１ｂの先端から本体ケース１０側に屈曲して延びた外周接触面２１ｄが形成されている。
【００３７】
このような、本体ケース１０とキャップ２１とをボルト３１により締結すると、図４（ｂ）に示すように、外周接触面２１ｄは、外周凹部１０ｄに対して外周側から接触し、また、キャップ２１の接触面２１ｂは、取付部１０ａの面と接触して弾性変形する。
【００３８】
本変形例においても、上記実施形態と同様に、キャップ２１の接触面２１ｂが取付部１０ａの面と接触するように変形された状態となるので、復元力Ｆにより、接触面２１ｂの外周側ほど強い面圧力が加えられた状態となる。これにより、キャップ２１と本体ケース１０との間に水が浸入してしまうことを適切に防止することができる。
【００３９】
なお、本発明は、上述の実施形態及び変形例に限定されるものではなく、本発明の趣旨を逸脱しない範囲で、適宜変形して実施することが可能である。
【００４０】
例えば、上記実施形態及び変形例では、キャップ２１の接触面２１ｂの全面を、キャップ２１の内側に行くほど、本体ケース１０の取付部１０ａの面から所定の方向に離れる傾斜としていたが、本発明はこれに限られず、例えば、接触面２１ｂの径方向の少なくとも一部の範囲を本体ケース１０の取付部１０ａの面から所定の方向に離れる斜面としてもよい。
【００４１】
また、上記実施形態では、リテーナ３０を挟んで、キャップ２１と本体ケース１０とをボルト３１により締結するようにしていたが、本発明はこれに限られず、リテーナ３０を備えずに、キャップ２１と本体ケース１０とを締結するようにしてもよい。
【符号の説明】
【００４２】
１  ソレノイド
１Ａ  ソレノイド
１０  本体ケース
１０ａ  取付部
１０ｂ  ボルト締結穴
１０ｃ  電線挿入孔
１０ｄ  外周凹部
１１  シャフト
１２  ベース
１３  プランジャ
１４  コイル
２１  キャップ
２１ａ  可動領域保護部
２１ｂ  接触面
２１ｃ  ボルト挿入孔
２１ｃ  外周接触部
３０  リテーナ
３０ａ  ボルト挿入孔
３０ｂ  電線挿入孔
３１  ボルト
３２  電線
３３  シール剤
【図１】
2017069304.tif 000003
【図２】
2017069304.tif 000004
【図３】
2017069304.tif 000005
【図４】
2017069304.tif 000006